(57)【要約】  本発明の発電装置は、第一磁石部材と、第一磁石部材とＮ極側が逆方向に配置される第二磁石部材と、水平移動が可能で、第一磁石部材と第二磁石部材との間に配置される中央ヨークと、中央ヨークの外周に配置されるコイルと、第一磁石部材および第二磁石部材を保持しながら水平移動する駆動部材とを備える。そして、駆動部材および中央ヨークは第１の方向に水平移動する。中央ヨークの第１の方向への水平移動が停止した後、駆動部材はさらに第１の方向へ水平移動し、かつ、中央ヨークは第１の方向と反対の第２の方向へ水平移動する。
2015068377.tif 000002
【特許請求の範囲】
【請求項１】
第一磁石部材と、
前記第一磁石部材とＮ極側が逆方向に配置される第二磁石部材と、
水平移動が可能で、前記第一磁石部材と前記第二磁石部材との間に配置される中央ヨークと、
前記中央ヨークの外周に配置されるコイルと、
前記第一磁石部材および前記第二磁石部材を保持しながら水平移動する駆動部材と
を備え、
前記駆動部材および前記中央ヨークは第１の方向に水平移動し、
前記中央ヨークの前記第１の方向への水平移動が停止した後、前記駆動部材はさらに前記第１の方向へ水平移動し、かつ、前記中央ヨークは前記第１の方向と反対の第２の方向へ水平移動する
ことを特徴とする発電装置。
【請求項２】
さらに、固定部を備え、
前記中央ヨークが被規制部を有し、
前記被規制部に前記固定部が配置され、
前記被規制部と前記固定部との間に隙間を有し、
前記固定部と前記被規制部とが接すると、前記中央ヨークの前記第１の方向への水平移動が停止する
ことを特徴とする請求項１記載の発電装置。
【請求項３】
さらに、ケースを備え、
前記ケースが外壁部を有し、
前記駆動部材と前記外壁部が接すると、前記駆動部材の前記第１の方向への水平移動が停止する
ことを特徴とする請求項１記載の発電装置。
【請求項４】
さらに、ばねと、回動可能な駆動体とを備え、
前記駆動部材に前記ばねを介して前記駆動体が接続され、
前記駆動体の回動に応じて前記ばねにばね力が蓄積され、
前記ばね力により前記駆動部材の水平移動がなされる
ことを特徴とする請求項１記載の発電装置。
【発明の詳細な説明】
【技術分野】
【０００１】
本発明は、各種電子機器や、それらを遠隔操作するための操作用機器、操作部位などに用いられる発電装置に関する。
【背景技術】
【０００２】
近年、各種電子機器や、それらを遠隔操作するための操作用機器、操作部位などについては小型構成の発電装置の開発要望をされることが多くなってきた。【０００３】
従来の発電装置について、図１５〜図２２を参照しながら説明する。【０００４】
図１５は従来の発電装置の外観斜視図である。図１６は従来の発電装置の分解斜視図である。図１７は従来の発電装置の固定側部位の斜視図である。図１８は従来の発電装置の可動側部位の斜視図である。図１９は従来の発電装置の第一の状態を示す上面図である。なお、図１９ではカバー部材２７は取り除かれている。図２０は従来の発電装置の第一の状態における磁石部材とヨークとの位置関係を示す模式図である。図２１は従来の発電装置の第二の状態を示す上面図である。なお、図２１ではカバー部材２７は取り除かれている。図２２は従来の発電装置の第二の状態での各磁石部材と各ヨークの位置関係を示す模式図である。【０００５】
従来の発電装置は、図１５に示すように、樹脂製のケース３１にカバー部材２７が組み合わされている。【０００６】
図１６や図１７に示すように、ケース３１は、上方が矩形状に開口した箱型である。ケース３１内には、磁性体からなる棒状の中央ヨーク４１が、固着されている。なお、以下の説明では中央ヨーク４１の長手方向に沿う方向を前後方向、平面視で前後方向に直交する方向を左右方向と定義して説明する。【０００７】
中央ヨーク４１は、ケース３１の凹部内の中央付近に、前後方向に沿って固着されている（図１７などを参照）。中央ヨーク４１の２つの端部（前端部４２および後端部４３）は中間部よりも太い四角柱に形成されている。【０００８】
ケース３１内の左端部には、上面視でコの字状の第一補助ヨーク１が固着されている。また、ケース３１内の右端部には、上面視でコの字状の第二補助ヨーク２が固着されている。第一補助ヨーク１のコの字の先端１Ａ、先端１Ｂは、中央ヨーク４１の前端部４２の左側面および後端部４３の左側面から所定間隔をあけて配置されている。同様に、第二補助ヨーク２のコの字の先端２Ａと２Ｂは、中央ヨーク４１の前端部４２の右側面および後端部４３の右側面に所定間隔をあけて配置されている。ケース３１側の部位は以上のように構成される。【０００９】
ケース３１に対してスライド移動する駆動部材２１側の部位について、図１８を参照しながら説明する。スライド移動する主要部は、第一磁石部材４と、第二磁石部材８と、第一磁石部材４と第二磁石部材８とを保持する駆動部材２１で構成される。駆動部材２１は樹脂製で矩形の枠である。【００１０】
第一磁石部材４は、永久磁石５の前後面のそれぞれに四角柱状の磁性体６、７が固着されて構成されている。永久磁石５は前方面がＮ極、後方面がＳ極の向きで配置されている。第二磁石部材８は、永久磁石９の前後面それぞれに四角柱状の磁性体１０、１１が固着されて構成されている。永久磁石９は、前方面がＳ極、後方面がＮ極の向きで配置されている。【００１１】
第一磁石部材４と第二磁石部材８は、駆動部材２１内に、所定間隔をあけて平行に配置されている。【００１２】
駆動部材２１は、ケース３１内で左右方向にスライド移動が可能である。ケース３１に駆動部材２１が組み込まれた状態では、図１９や図２１に示すように、第一磁石部材４と第二磁石部材８との間に中央ヨーク４１が位置する。さらに、第一磁石部材４の左側に第一補助ヨーク１が配置され、第二磁石部材８の右側に第二補助ヨーク２が位置する。そして、駆動部材２１には、平板バネ２３を介して操作部材２５が配置されている。【００１３】
そして、ケース３１および駆動部材２１上を覆うように、上方から樹脂製のカバー部材２７が配置されている。カバー部材２７はケース３１に結合されている。【００１４】
次に従来の発電装置の動作について、図１９〜図２２を参照しながら説明する。図１９および図２０は第一の状態を示しており、図２０は位置関係を示す模式図である。図２１および図２２は第二の状態を示してり、図２２は位置関係を示す模式図である。【００１５】
＜第一の状態＞
図１９、図２０に示す通り、第一の状態では、第一磁石部材４と中央ヨーク４１とが当接して吸着する。駆動部材２１はケース３１内の右側に位置する。磁性体６の前端部の右側面が中央ヨーク４１の前端部４２の左側面に当接して吸着しており、かつ、磁性体７の後端部の右側面が中央ヨーク４１の後端部４３の左側面に当接して吸着している。この時、第一磁石部材４は、第一補助ヨーク１の先端１Ａ、１Ｂから離間している。また、第二磁石部材８は、中央ヨーク４１の前端部４２、後端部４３の右側面から離間しており、磁性体１０の前端部の右側面が第二補助ヨーク２の先端２Ａに当接して吸着し、磁性体１１の後端部の右側面が第二補助ヨーク２の先端２Ｂに当接して吸着している。【００１６】
第一の状態では、永久磁石５からの磁束は、磁性体６から中央ヨーク４１の前端部４２に伝わり、中央ヨーク４１内を後端部４３に向かって流れ、中央ヨーク４１の後端部４３から磁性体７に戻る経路で伝わる。【００１７】
＜第一の状態から第二の状態への変化＞
第一の状態から操作部材２５の操作部を左方向にスライド移動すると、第一の状態の吸着箇所が離れ、平板バネ２３のばね力も加わり、駆動部材２１が左方に向かって移動する。駆動部材２１の移動に応じて、第一磁石部材４と第二磁石部材８とが左方へスライド移動する。第二の状態を図２１および図２２に示す。【００１８】
＜第二の状態＞
第二の状態では、図２１および図２２に示すように、第一磁石部材４の前端部の左側面が第一補助ヨーク１の先端１Ａに当接して吸着し、第一磁石部材４の後端部の左側面が第一補助ヨーク１の先端１Ｂに当接して吸着している。【００１９】
第二の状態では、永久磁石９からの磁束は、磁性体１１から中央ヨーク４１の後端部４３に伝わり、中央ヨーク４１内を前端部４２に向かって流れ、中央ヨーク４１の前端部４２から磁性体１０に戻る経路で伝わる。【００２０】
第一の状態から第二の状態に変化すると、中央ヨーク４１内での磁束の流れる方向が逆方向に切り換わる。この磁束の流れの切り換わりによって中央ヨーク４１の回りに配置されているコイル４５に起電力が発生する。そして、この起電力をコイル４５のコイル線から取り出す。【００２１】
また、第二の状態から第一の状態に戻る時の動作は、第一の状態から第二の状態に変化する時と同様であるので、第二の状態から第一の状態に戻る時も、中央ヨーク４１内での磁束の流れる方向が逆方向に切り換わる。この磁束の流れの切り換わりに応じてコイル４５に生じる相応する起電力を取り出すことができる。【００２２】
なお、この出願の発明に関連する先行技術文献情報としては、例えば、特許文献１が知られている。
【先行技術文献】
【特許文献】
【００２３】
【特許文献１】国際公開第２０１３／０８４４０９号
【発明の概要】
【００２４】
本発明は、大きい起電力が得られる磁気回路構成部を有する発電装置を提供することを目的とする。
【００２５】
上記目的を達成するために本発明は、第一磁石部材と、第一磁石部材とＮ極側が逆方向に配置される第二磁石部材と、水平移動が可能で、第一磁石部材と第二磁石部材との間に配置される中央ヨークと、中央ヨークの外周に配置されるコイルと、第一磁石部材および第二磁石部材を保持しながら水平移動する駆動部材とを備える。そして、駆動部材および中央ヨークは第１の方向に水平移動する。中央ヨークの第１の方向への水平移動が停止した後、駆動部材はさらに第１の方向へ水平移動し、かつ、中央ヨークは第１の方向と反対の第２の方向へ水平移動するものである。
【００２６】
この構成により、本発明の発電装置は、中央ヨーク７０の磁束の流れの変化に要する時間を少なくでき、容易に大きい起電力を得ることができる。
【００２７】
以上のように本発明によれば、容易に大きい起電力を得られることができる発電装置を提供できる。
【図面の簡単な説明】
【００２８】
【図１】本発明の実施の形態における発電装置の断面図
【図２】本発明の実施の形態における発電装置の外観斜視図
【図３】図２の発電装置の分解斜視図
【図４】図２の発電装置を下方側から見た分解斜視図
【図５Ａ】本発明の実施の形態における発電装置の水平方向の断面図
【図５Ｂ】図５Ａに示す永久磁石と磁性体の部分拡大図
【図５Ｃ】図５Ａに示す永久磁石と磁性体の部分拡大図
【図５Ｄ】図５Ａの部分拡大図
【図６】コイル付き中央ヨークの外観斜視図
【図７】図６の分解斜視図
【図８】第一の状態の発電装置の垂直方向における断面図
【図９Ａ】第一の状態の発電装置の水平方向における断面図
【図９Ｂ】図９Ａの部分拡大図
【図９Ｃ】図９Ａの部分拡大図
【図１０】第一の状態から第二の状態に変化する時の発電装置の垂直方向における断面図
【図１１】第一の状態から第二の状態に変化する時の発電装置の垂直方向における断面図
【図１２Ａ】第二の状態の発電装置の水平方向における断面図
【図１２Ｂ】１２Ａの部分拡大図
【図１３】第二の状態の発電装置の垂直方向における断面図
【図１４】第二の状態の発電装置の垂直方向における断面図
【図１５】従来の発電装置における外観斜視図
【図１６】従来の発電装置における分解斜視図
【図１７】従来の発電装置における固定側部位の主要部の斜視図
【図１８】従来の発電装置における可動側部位の主要部の斜視図
【図１９】従来の発電装置における第一の状態を示す上面図
【図２０】従来の発電装置における第一の状態の磁石部材とヨークとの位置関係を示す模式図
【図２１】従来の発電装置における第二の状態を示す上面図
【図２２】従来の発電装置における第二の状態の磁石部材とヨークとの位置関係を示す模式図
【発明を実施するための形態】
【００２９】
本実施の形態の説明に先立ち、上述した従来の発電装置の課題について説明する。従来の発電装置は、第一の状態から第二の状態に移行する時（または第二の状態から第一の状態に移行する時）、ケース３１に固定されている中央ヨーク４１内を流れる磁束の方向を切り換える磁気回路構成部を有する。従来の発電装置は、この磁気回路構成部によってファラデーの法則に応じて起電力を得る。
【００３０】
つまり、その起電力Ｅは、一般的に下記で表される。
【００３１】
Ｅ＝Ｎ＊（δφ／δｔ）  Ｎ：コイルの巻き数
従来の発電装置において、起電力を大きくするには、コイル４５の巻き数を増やす方法が考えられる。しかしながら、コイル４５の巻き数を増やすと、コイル４５を配置するスペースが確保できず、発電装置のサイズが大きくなるという課題があった。
【００３２】
また、起電力を大きくするための別の方法として、永久磁石５、９に磁束が強い永久磁石を用いることが考えられる。永久磁石５、９の磁束を大きくすることによって、中央ヨーク４１内で流れる磁束の変化を大きくすることが可能となる。しかしながら、例えば第一の状態で説明すると、ケース３１に固定されている中央ヨーク４１に第一磁石部材４が吸着し、中央ヨーク４１が第二磁石部材８から離間している。永久磁石５、９の磁束が強い場合、第二磁石部材８からの逆方向に向く磁束の影響を受けないように、中央ヨーク４１と第二磁石部材８との間の距離を大きく設定する必要があった。つまり、永久磁石９の磁束が強ければ強いほど、中央ヨーク４１と第二磁石部材８との間の距離を大きくする必要があった。第二の状態でも同様である。
【００３３】
従って、上述したコイル４５の巻き数を増やしたり、磁束の強さが強い永久磁石５、９を使用したり、大きい起電力を得るためには、発電装置を大きくする必要があった。
【００３４】
そこで出願人は上記課題に着目して、本発明を提案する。
【００３５】
以下、本発明の実施の形態について、図１〜図１４を参照しながら説明する。
【００３６】
（実施の形態）
図１は、本発明の実施の形態における発電装置の断面図である。図２は、本発明の実施の形態における外観斜視図で、図３は、図２の分解斜視図である。図４は、図２を下方側から見た分解斜視図である。図５Ａは、本実施の形態における発電装置の水平方向の断面図である。なお、図５Ａは第一の状態を示す。図５Ｂは、図５Ａに示す永久磁石１１１、第一磁性体１１３、第一磁性体１１４の部分拡大図で、図５Ｃは、図５Ａに示す永久磁石１２１と第二磁性体１２３、第二磁性体１２４の部分拡大図である。図５Ｄは、図５Ａの部分拡大図である。図６は、コイル付き中央ヨークの外観斜視図である。図７は、図６の分解斜視図である。図８は、第一の状態の発電装置の垂直方向における断面図である。図９Ａは、第一の状態の発電装置の水平方向における断面図である。図９Ｂおよび図９Ｃは、図９Ａの部分拡大図である。図１０は、第一の状態から第二の状態に変化する時の発電装置の垂直方向における断面図である。図１１は第一の状態から第二の状態に変化する時の発電装置の垂直方向における断面図である。図１２Ａは、第二の状態の発電装置の水平方向における断面図である。図１２Ｂは、１２Ａの部分拡大図である。図１３および図１４は、第二の状態の発電装置の垂直方向における断面図である。
【００３７】
なお、本実施の形態では、中央ヨーク７０内を流れる磁束の方向を切り換える構成を磁気回路構成部と呼び、磁気回路構成部は、少なくとも第一磁石部材１１０、第二磁石部材１２０、中央ヨーク７０、コイル８５、駆動部材６０を有する。
【００３８】
＜発電装置の構成＞
本実施の形態の発電装置の構成について図１〜図４を参照しながら説明する。下ケース５０は上方から見ると矩形で樹脂製である。下ケース５０の下方には蓋板部５１が組み込まれている。下ケース５０の下面と蓋板部５１との間には、電気回路部を有する配線基板５２が配置されている。下ケース５０の左右方向側の外縁部には、爪部を有する保持部５０Ａが上方に突出して設けられている。下ケース５０は樹脂製の上ケース５５と保持部５０Ａによって結合されている。
【００３９】
上ケース５５は、外形が直方体で、前後および左右のそれぞれが外壁部５７で囲まれている。上ケース５５の内部の中央に、中板部５６が設けられている。上ケース５５の中板部５６より下方は、外壁部５７で囲まれ、下方は開口している。
【００４０】
上ケース５５の中板部５６と下ケース５０との間の空間には、樹脂製の駆動部材６０が配置されている。駆動部材６０の下方には、中央ヨーク７０、第一磁石部材１１０、第二磁石部材１２０などが配置されている。
【００４１】
駆動部材６０は、左右方向（水平方向）にスライド移動可能な状態で、下ケース５０の上に配置されている。そして、駆動部材６０は、上ケース５５の左右の外壁部５７（５７Ａ、５７Ｂ）の内面に当接することによって左右方向への移動規制がなされる。
【００４２】
〔中央ヨーク７０の構成の詳細〕
次に、中央ヨーク７０の構成の詳細について図６および図７を参照しながら説明する。
【００４３】
中央ヨーク７０は磁性板で構成され、細幅部７３と、太幅部７１とを有する。中央ヨーク７０は、中央部が内側に細幅でくびれた長尺状で、前方および後方に設けられた太幅部７１には被規制部７２がそれぞれ形成されている。言い換えれば、被規制部７２は中央ヨーク７０の前後方向における両端部に形成されるくびれ部分に相当する。
【００４４】
太幅部７１に形成される被規制部７２は、所定幅（寸法Ｂ）の矩形で打ち抜かれた切り欠きによって構成されている。なお、本実施の形態の被規制部７２は外方に向かって開放状態であるが、被規制部７２は開口していない形状（穴状）であってもよい。被規制部７２が開放状態の方が、開口していない形状より加工形成しやすく好ましい。
【００４５】
図６に示すように、中央ヨーク７０は、コイル保持用部材８０に組み込まれている。コイル保持用部材８０は樹脂製である。
【００４６】
図７に示すように、コイル保持用部材８０は、中央ヨーク７０を載せる面状部８１と、上方に突出する側壁部８２とを有する。面状部８１には、左右方向に直線状に伸びる断面円弧状の小突起が数本平行関係で設けられている。中央ヨーク７０の細幅部７３は側壁部８２で固定されている。
【００４７】
そして、コイル保持用部材８０の面状部８１の上に中央ヨーク７０を配置した状態で、コイル保持用部材８０の側壁部８２の外面および細幅部７３の周辺を巻くようにコイル８５が配置される。図６に示す構成をコイル８５付き中央ヨーク７０と表す。
【００４８】
コイル８５のコイル線（図示せず）の両端は、それぞれ対応するターミナル８７に接続されている。ターミナル８７は、図７に示すように、導電性を有するばね材がＵ字状に折り曲げて形成されている。複数のターミナル８７は、コイル保持用部材８０に設けられたターミナル装着部８３内にそれぞれ挿入されている。
【００４９】
ターミナル８７の下方側の板材には、下方に突出する円弧状部８８が設けられている。ターミナル８７がターミナル装着部８３内に装着している状態では、円弧状部８８はコイル保持用部材８０よりも下方に突出している。そして、円弧状部８８の下端は配線基板５２に設けられた電極部５３（図３参照）に弾接している。なお、下ケース５０には貫通孔５４（図３参照）が設けられている。
【００５０】
コイル保持用部材８０の面状部８１には、その前端部および後端部のそれぞれに圧入用の被固定部８４が設けられている。前端部の被固定部８４は、前方に向かって開口する矩形状の切り欠きによって構成され、前端部の被固定部８４は、後方に向かって開口する矩形状の切り欠きによって構成されている。そして、被固定部８４の左右方向の幅（寸法Ａ）は、中央ヨーク７０における被規制部７２の左右方向の幅（寸法Ｂ）よりも狭い。
【００５１】
コイル８５付き中央ヨーク７０においては、コイル８５の上部が、駆動部材６０の中央付部付近に設けられているコイル用貫通孔６１内に配置される（図１、図３参照）。コイル用貫通孔６１は、駆動部材６０の中央部付近に矩形状に上下に貫通して形成されている。なお、詳細は後述するが、コイル８５付き中央ヨーク７０は、上ケース５５に一体化されている。
【００５２】
〔磁気回路構成部の詳細〕
続いて、図１、図３、図４、図５Ａ〜図５Ｄを参照しながら、磁気回路構成部の構成の詳細について説明する。なお、図５Ｂ〜図５Ｄは図５Ａの部分拡大図である。
【００５３】
第一磁石部材１１０は、直方体の永久磁石１１１と、永久磁石１１１の前方面に固着される第一磁性体１１３と、永久磁石１１１の後方面に固着される第一磁性体１１４とから構成されている。第一磁性体１１３、１１４は軟磁性の磁性体である。永久磁石１１１は、第一磁性体１１３が固着されている側がＮ極で、第一磁性体１１４が固着されている側がＳ極である。
【００５４】
第一磁性体１１３は、左方向に突出する第一突出部１１５と右方向に突出する第二突出部１１６を有する。また、第一磁性体１１４は、左方に突出する第一突出部１１５と右方に突出する第二突出部１１６を有する。二つの第一突出部１１５は第一補助ヨーク１３０と吸着可能に設けられている。また、二つの第二突出部１１６は中央ヨーク７０の太幅部７１の左側端面に当接可能に設けられている。
【００５５】
第二磁石部材１２０は、直方体の永久磁石１２１と、永久磁石１２１の前方面に固着される第二磁性体１２３と、永久磁石１２１の後方面に固着される第二磁性体１２４とから構成されている。第二磁性体１２３、１２４は軟磁性の磁性体である。永久磁石１２１は、第二磁性体１２３が固着されている側がＳ極で、第二磁性体１２４が固着されている側がＮ極である。
【００５６】
第二磁性体１２３は、左方向に突出する第三突出部１２５と右方向に突出する第四突出部１２６を有する。また、第二磁性体１２４には、左方に突出する第三突出部１２５と右方に突出する第四突出部１２６を有する。二つの第三突出部１２５は中央ヨーク７０の太幅部７１の右側端面に当接可能に設けられている。また二つの第四突出部１２６は第二補助ヨーク１３１と吸着可能に設けられている。
【００５７】
そして、第一磁石部材１１０と第二磁石部材１２０は、駆動部材６０の下面に配置されている。第一磁石部材１１０と第二磁石部材１２０との間には所定間隔が開いており、第一磁石部材１１０と第二磁石部材１２０との間には、コイル８５付き中央ヨーク７０が配置されている。
【００５８】
第一磁石部材１１０と第二磁石部材１２０とを保持する駆動部材６０は、下ケース５０上に載せられている。第一磁石部材１１０、第二磁石部材１２０の水平面の高さは、中央ヨーク７０の水平面の高さと同じである（図１参照）。第一磁石部材１１０は中央ヨーク７０の左側に配置され、第二磁石部材１２０は中央ヨーク７０の右側に位置する。
【００５９】
〔駆動部材６０の構成の詳細〕
図３に示すように、駆動部材６０は、前後に向かってそれぞれ突出する２つの延設部６３を有する。また、延設部６３の上部それぞれの左端部および右端部には第一係止部６４、６５が設けられている。第一係止部６４、６５は左右で線対称の同じ形状である。さらに、駆動部材６０は、コイル用貫通孔６１と前方の延設部６３との間、およびコイル用貫通孔６１と後方の延設部６３との間に矩形孔６７をそれぞれ有する。
【００６０】
〔コイル８５付き中央ヨーク７０と上ケース５５の構成の詳細〕
次に、コイル８５付き中央ヨーク７０と上ケース５５とが一体化している構成について説明する。
【００６１】
図４に示すように、上ケース５５の中板部５６の下面には、下方に突出する段付き突起５８が二つ設けられている。段付き突起５８は、外壁部５７より内側に設けられている。また段付き突起５８は、外壁部５７の前後の面とほぼ平行に設けられている。段付き突起５８は、二つの段部を有し、根元部５８Ａと、中間部５８Ｂと、先端部５８Ｃで構成されている。根元部５８Ａは、中板部５６の下面に配置されている。段付き突起５８の下方向における最も先端部が、先端部５８Ｃである。先端部５８Ｃと根元部５８Ａとの間が中間部５８Ｂである。
【００６２】
根元部５８Ａ、中間部５８Ｂ、先端部５８Ｃのそれぞれ水平方向の断面形状は矩形である。中間部５８Ｂおよび先端部５８Ｃの水平方向の断面は、根元部５８Ａの水平方向の断面より小さい。
【００６３】
段付き突起５８において、根元部５８Ａの左右方向における幅は、中間部５８Ｂや先端部５８Ｃの左右方向における幅より広く、根元部５８Ａが、中央ヨーク７０の上方への位置規制を行っている。そして、中間部５８Ｂが中央ヨーク７０の左右方向（水平方向）の位置規制を行っている。中間部５８Ｂは固定部として機能している。
【００６４】
そして、中間部５８Ｂ（固定部）の左右方向の幅の寸法Ｃ（図４参照）は、中央ヨーク７０の被規制部７２の左右方向の幅の寸法Ｂ（図６参照）よりも小さい。先端部５８Ｃの水平方向の断面は、中間部５８Ｂ（固定部）の水平方向の断面よりも小さく、先端部５８Ｃはコイル保持用部材８０の被固定部８４に圧入可能な形状に形成されている。
【００６５】
段付き突起５８が、駆動部材６０の矩形孔６７と中央ヨーク７０の被規制部７２内に配置され、先端部５８Ｃがコイル保持用部材８０の被固定部８４に圧入されている。これによって、上ケース５５の中板部５６下方にコイル８５付き中央ヨーク７０が固定状態で一体化されている。コイル保持用部材８０の面状部８１の下面側は下ケース５０上に載っている。
【００６６】
上記の固定状態で、駆動部材６０の矩形孔６７内には根元部５８Ａが配置されている。矩形孔６７は、駆動部材６０の左右方向への移動規制を与えない大きさで設けられている。
【００６７】
また、上記の固定状態で、中央ヨーク７０の被規制部７２内には中間部５８Ｂが配置されている。ここに、被規制部７２の左右方向の寸法（寸法Ｂ）と中間部５８Ｂの左右方向の寸法（寸法Ｃ）に差が設けられているので、第一の状態では、図５Ｄに示すように、中間部５８Ｂの右側面と被規制部７２との間に間隙Ｌを有した状態となる。なお、本実施の形態では説明を分かりやすくするために、中間部５８Ｂ（固定部）と被規制部７２との左右の隙間を同じＬとしているが、必ずしも左右同じにする必要はない。
【００６８】
中央ヨーク７０の細幅部７３の左側端面とコイル保持用部材８０との間の距離、および、中央ヨーク７０の細幅部７３の右側端面とコイル保持用部材８０との間の距離は、間隙Ｌ以上である必要がある。
【００６９】
コイル保持用部材８０は上ケース５５に固定されているが、中央ヨーク７０はコイル保持用部材８０や上ケース５５に固定されていない。
【００７０】
第一の状態では、中央ヨーク７０は左方に向かって少なくとも間隙Ｌだけ移動が可能である。
【００７１】
なお、本実施の形態では、図４に示すように、中間部５８Ｂと先端部５８Ｃとを互いに矩形状のものとし、両者を前後方向は同一寸法で左右方向の幅寸法のみを異なるものとしている。この構成であれば、コイル８５付き中央ヨーク７０の装着が容易にでき、しかも先端部５８Ｃの大きさの確保ができ、好ましい。
【００７２】
〔駆動体１５０、１６０、スライド部材１８０などの構成〕
次に、発電装置の駆動体などの構成の詳細について、図１、図３、図４、図５Ａ、図８を参照しながら説明する。
【００７３】
そして、上ケース５５の左右方向側にあたる外壁部５７(５７Ａ、５７Ｂ)の内面位置にはスリット状の溝部５９（図４、図５Ａ参照）が設けられており、このスリット状溝部５９に磁性板製の第一補助ヨーク１３０、１３１がそれぞれ挿入されている。第一補助ヨーク１３０、１３１の下端は下ケース５０上に載っている。
【００７４】
さらに、上ケース５５は、図３に示すように、中板部５６上の前方向の端部、および後方向の端部付近のそれぞれに、一対の軸受け部を有している。一対の軸受部は軸受け部１４１、１４２で構成されている。
【００７５】
２つの軸受け部１４１に駆動体１５０の円柱軸部１５２の両端部が回動可能に保持され、２つの軸受け部１４２に駆動体１６０の円柱軸部１６２の両端部が回動可能に保持されている。
【００７６】
駆動体１５０の下面には第二係止部１５４が二つ設けられている（図４参照）。各第二係止部１５４は、駆動部材６０の第一係止部６４にそれぞれ対応して設けられている。そして、図８に示すように、対となる第一係止部６４と第二係止部１５４にＵ字ばね１７０の端部がそれぞれ係止されている。つまり、左側の駆動体１５０は、二つのＵ字ばね１７０を介して駆動部材６０に接続された状態になっている。Ｕ字ばね１７０の突出方向は下方に向いている。
【００７７】
駆動体１５０と同様に、駆動体１６０の下面に第二係止部１６４が二つ設けられている（図４参照）。各第二係止部１６４は、駆動部材６０の第一係止部６５にそれぞれ対応して設けられている。そして、図８に示すように、対となる第一係止部６５と第二係止部１６４にＵ字ばね１７０の端部がそれぞれ係止されている。つまり、右側の駆動体１６０は、二つのＵ字ばね１７０を介して駆動部材６０に接続された状態になっている。Ｕ字ばね１７０の突出方向は下方に向いている。
【００７８】
本実施の形態では、Ｕ字ばね１７０は所定幅のばね板からなり、四つとも同じものである。なお、図３に示すようにＵ字ばね１７０の端部を折り返すしておくと、削れることを防止でき好ましい。なお、Ｕ字ばね１７０のＵ字部分が配置できるように、延設部６３が配置される位置や、駆動部材６０の形状が設定されている。
【００７９】
駆動体１５０は、円柱軸部１５２を中心として回動可能に組み込まれている。駆動体１６０は、円柱軸部１６２を中心として回動可能に組み込まれている。
【００８０】
さらに、上ケース５５の前後方向の端部に形成される外壁部５７の上端部の内側にはガイド部が設けられている。そして、そのガイド部にスライド部材１８０が組み込まれている（図１、図２、図８参照）。スライド部材１８０はガイド部でガイドされつつ、左右方向に水平移動可能に上ケース５５に組み込まれている。
【００８１】
スライド部材１８０は、下面に２つの押圧部１８２を有する。一方の押圧部１８２はスライド部材１８０の左端部に配置され、もう一方の押圧部１８２はスライド部材１８０の右端部に配置される。そして、押圧部１８２は前後方向に沿って延伸する半円柱状である（図４参照）。押圧部１８２は、下方に突出して設けられている。押圧部１８２は、スライド部材１８０が左右方向に移動すると、対応する左側の駆動体１５０または右側の駆動体１６０を押し下げる部位として機能する。
【００８２】
〔駆動体１５０、１６０の構成の詳細〕
次に、駆動体１５０の構成について図１、図３、図４を参照しながら、さらに詳細に説明する。
【００８３】
左側の押圧部１８２で押圧される左側の駆動体１５０の上面の中央部の形状は、図１や図３に示すように、第一面１５６、第二面１５７、第三面１５８を有する。第三面１５８が左側に位置し、スライド部材１８０側に近い面である。また、第二面１５７が右側に位置し、スライド部材１８０側から遠い面である。そして、第一面１５６が第三面１５８と第二面１５７とをつなぐ傾斜面である。なお、第一面１５６と第三面１５８との接続箇所は、角は形成されず、滑らかな接続面となっている。第二面１５７と第一面１５６との接続箇所についても同様である。さらに、第二面１５７、第一面１５６、第三面１５８の上面には、左右方向に延伸する線状突起１５９が設けられている（図３参照）。線状突起１５９の高さは同じで、線状突起１５９に対向する押圧部１８２それぞれの箇所には図４に示すように逃げ溝１８２Ａが設けられている。この逃げ溝１８２Ａ内に線状突起１５９を配置させる構成にすると、スライド部材１８０の左右方向への移動がスムーズになり好ましい。
【００８４】
右側の押圧部１８２で押圧される右側の駆動体１６０の上面の中央部の形状は、駆動体１５０と同様に、第一面１６６、第二面１６７、第三面１６８を有する。第三面１６８が右側に位置し、スライド部材１８０側に近い面である。また、第二面１６７が左側に位置し、スライド部材１８０側から遠い面である。そして、第一面１６６が第三面１６８と第二面１６７とをつなぐ傾斜面である。なお、第一面１６６と第三面１６８との接続箇所は、角は形成されず、滑らかな接続面となっている。第二面１６７と第一面１６６との接続箇所についても同様である。さらに、第二面１６７、第一面１６６、第三面１６８の上面には、左右方向に延伸する線状突起１６９が設けられているが、上述した線状突起１５９と同様であるので説明を省略する。
【００８５】
以上のように、本実施の形態による発電装置は構成されている。
【００８６】
＜発電装置の動作説明＞
続いて、本実施の形態の発電装置が、第一の状態から第二の状態へ変化する動作について説明する。
【００８７】
［第一の状態］
図１、図５Ａ、図５Ｄ、図８は第一の状態を示している。第一の状態では、スライド部材１８０は、上ケース５５の左側の外壁部５７Ａに当接しており、最も左方に位置する。左側の押圧部１８２は、図１に示すように、左側の駆動体１５０の第三面１５８上に当接している。この時、左側の駆動体１５０は正面から見て、左回転に回動し、押し下げられた状態になっている。一方、駆動部材６０は、図５Ａ、図５Ｄに示すように、駆動部材６０の右側面が、右側の外壁部５７Ｂの内面に当接している。（図５Ｄに“０”で示す）なお、駆動部材６０の左側面は、対応する左側の外壁部５７Ａの内面から離間している。
【００８８】
第一の状態では、駆動部材６０に保持される第二磁石部材１２０においては、第四突出部１２６が第二補助ヨーク１３１に近接した状態（吸着状態）となる。また、第三突出部１２５は中央ヨーク７０の太幅部７１の右側端面から離間している。
【００８９】
一方、第一磁石部材１１０においては、第二突出部１１６が中央ヨーク７０の太幅部７１と当接した状態（吸着状態）となる。また、第一突出部１１５は第二補助ヨーク１３１から離間している。
【００９０】
上述した通り、中央ヨーク７０の被規制部７２内には段付き突起５８の中間部５８Ｂが配置されている。そして第一の状態では、中間部５８Ｂの右側面と被規制部７２のとの間には、間隙Ｌがある。図５Ｄは中間部５８Ｂの左側にも間隙Ｌがあるが、左側については必ずしも隙間Ｌである必要はない。
【００９１】
第一の状態では、中央ヨーク７０には、第一磁石部材１１０の磁束が第一磁性体１１３から前方の太幅部７１に伝わって、その磁束が後方の太幅部７１に流れて第一磁性体１１４に戻る経路で伝わる。
【００９２】
また、第一の状態では、四つのＵ字ばね１７０は、図８に示すように、左側の駆動体１５０用の二つのＵ字ばね１７０はほぼ伸びた状態（僅かに撓んだ状態）であり、駆動部材６０を若干右方に向けて付勢している。一方、右側の駆動体１６０用の二つのＵ字ばね１７０は完全に伸びた状態である。つまり、右側の駆動体１６０には右側の押圧部１８２は接触していないため、右側の駆動体１６０は、右端が上方に位置する押し下げ前の状態になっている。なお、本実施の形態の構成では、操作停止位置となる第一の状態および後述する第二の状態では、四つのＵ字ばね１７０がほぼ伸びた状態（僅かに撓んだ状態）または伸びた状態になるように構成されている。このように構成することにより、四つのＵ字ばね１７０のクリープによる劣化が少なくなり、長期間に亘って四つのＵ字ばね１７０のばね特性が維持され好ましい。
【００９３】
〔第一の状態から第二の状態への変化（第１ステップ）〕
次に、スライド部材１８０を右方に移動させていくと、左側の押圧部１８２は左側の駆動体１５０の第三面１５８上から第一面１５６上へと移動する。
【００９４】
そのスライド部材１８０の右方への移動途中時点から、右側の押圧部１８２は右側の駆動体１６０の第二面１６７上に当接し、第二面１６７上を右方に移動していく。スライド部材１８０の移動に応じて、右側の駆動体１６０は右端部が下がり、右回転方向に回動する。
【００９５】
上記のように駆動体１６０が徐々に回動すると、駆動体１６０用の二つのＵ字ばね１７０も徐々に撓んでいく。そして、本実施の形態では、そのばね力によって駆動部材６０が左方に移動し始める。つまり、駆動体１６０にＵ字ばね１７０を介して回動可能な駆動体１６０が接続され、駆動体の回動に応じてばね力がばねに蓄積され、ばね力により駆動部材の水平移動がなされる。このときの駆動体１６０用のＵ字ばね１７０に蓄積されるばね力は、第二磁石部材１２０と第二補助ヨーク１３１との吸着力よりも大きく設定されている。よって、このばね力によって駆動部材６０が左方（第１の方向）へ移動する。
【００９６】
なお、本実施の形態では、第一の状態において、第二磁石部材１２０と第二補助ヨーク１３１とを当接させずに近接した状態としているので、上記動作を容易に実現できる。
【００９７】
駆動部材６０が左方へ移動し始めた際には、中央ヨーク７０、第一磁石部材１１０、第二磁石部材１２０の位置関係は、第一の状態と同じである。中央ヨーク７０、第一磁石部材１１０、第二磁石部材１２０が第一の状態と同じ位置関係を維持したまま、中央ヨーク７０、第一磁石部材１１０、第二磁石部材１２０が駆動部材６０と共に左方に移動する。駆動部材６０が左方に移動し始める時（図５Ｄに示す第一の状態では）、中間部５８Ｂの右側には、中央ヨーク７０と間隙Ｌがある。さらに、中央ヨーク７０は固定されておらず左方に移動可能な状態としているため、中央ヨーク７０と第一磁石部材１１０とが当接した吸着状態のまま、まずは間隙Ｌ分の距離だけ左方に移動する。
【００９８】
繰り返し説明するが、まず、駆動部材６０は、間隙Ｌ分の距離を、中央ヨーク７０、第一磁石部材１１０、第二磁石部材１２０とともに、互いの位置関係を変えず左方に移動する。
【００９９】
その後、中央ヨーク７０は、中間部５８Ｂの右側面が被規制部７２の右側端面に当接するため、左方への移動が規制され停止状態となる。この停止状態を図９Ａ（図９Ｂ）に示す。図９Ａまたは図９Ｂに示す通り、停止状態では、中間部５８Ｂの左側面と中央ヨーク７０における被規制部７２の左側端面が間隙（Ｌ＋Ｌ）だけ離れている。言い換えれば中間部５８Ｂの左方が中央ヨーク７０と離れた状態となる。なお、中央ヨーク７０は、第二磁石部材１２０と離間状態であることは上述したとおりである。中央ヨーク７０と第二磁石部材１２０の距離を図９Ｂに距離ｄとして示す。そして、駆動部材６０の中央主要部の右側面が、上ケース５５の右側の外壁部５７Ｂの内面から間隙Ｌだけ離れた状態になる。この時、駆動部材６０の中央主要部の左側面が、上ケース５５の左側の外壁部５７Ｂ内面から離れている。
【０１００】
〔第一の状態から第二の状態への変化（第２ステップ）〕
次に、中央ヨーク７０の左方（第１の方向）へ移動が規制をされた後の動作について説明する。
【０１０１】
中央ヨーク７０が被規制部７２との当接により左方への移動が規制され、停止状態になると、中央ヨーク７０と吸着している第一磁石部材１１０を保持した駆動部材６０も停止状態となる。スライド部材１８０の右側の押圧部１８２が右側の駆動体１６０の第二面１６７上を右方に移動していく間に、Ｕ字ばね１７０に蓄積されるばね力は、中央ヨーク７０と第一磁石部材１１０との吸着力よりも小さい。よって、中央ヨーク７０の停止後に、右側の押圧部１８２が右側の駆動体１６０の第二面１６７上をさらに右方に移動していったとしても、駆動部材６０や磁気回路構成部は、上述した停止状態を維持する。
【０１０２】
なお、スライド部材１８０の左側の押圧部１８２は、左側の駆動体１５０の第三面１５８から第一面１５６上へと移動し、その後、第二面１５７の上方位置に移動する。図１０に、右側の押圧部１８２が第二面１６７から第一面１６６に移る直前の状態を示す。図１０に示す状態では、左側の駆動体１５０用の二つのＵ字ばね１７０が伸びた状態となっており、左側の駆動体１５０の左端が上がるように少し右回転で回動した状態になっている。
【０１０３】
図１０に示す状態から、スライド部材１８０の右側の押圧部１８２が右側の駆動体１６０の第一面１６６上を右方に向かって移動する。すると、第一面１６６は右斜め上方向の傾斜面で構成されているため、図１１に示すように、右側の駆動体１６０が大きく押し下げられていく。右側の駆動体１６０が押し下げられるのに応じて右側の駆動体１６０用の二つのＵ字ばね１７０が短時間で大きく撓まされる。
【０１０４】
このときにＵ字ばね１７０に蓄積されるばね力が、第一磁石部材１１０と中央ヨーク７０との吸着力よりも大きくなるように設定されており、蓄積されるばね力が、第一磁石部材１１０と中央ヨーク７０との吸着力よりも大きくなると、第一磁石部材１１０と中央ヨーク７０との吸着箇所が離れて駆動部材６０がさらに左方（第１の方向）に向かって水平に移動する。
【０１０５】
言い換えると、上記ばね力の水平方向の分力で駆動部材６０がさらに左方に向かって移動する。この移動距離を図１２Ｂに距離Ｍで示す。
【０１０６】
なお、傾斜面である第一面１６６を設けたことにより、その傾斜面内の短い距離でＵ字ばね１７０が短時間で大きく撓むように構成できる。つまり、その傾斜面の勾配や長さを適宜設定することによって、Ｕ字ばね１７０のばね力や各磁石部材１１０、１２０の磁力のばらつきなどがあっても、その傾斜面の中間位置近傍で必要なばね力が得られる構成とすることが容易となる。また、左側の駆動体１５０についても傾斜面である第一面１５６を設けたのも同じ理由である。
【０１０７】
第一磁石部材１１０と中央ヨーク７０とが離れてばね力によって駆動部材６０が再び左方に水平移動すると、駆動部材６０に保持されている第一磁石部材１１０と第二磁石部材１２０が同期して左方に移動する。すると、第一磁石部材１１０が中央ヨーク７０から離れ、第二磁石部材１２０が中央ヨーク７０に近づく。
【０１０８】
このとき、図９Ｂに示す通り、中央ヨーク７０は、中間部５８Ｂの左方側が離れた状態（図９ＢにＬ＋Ｌで示す）になっている。つまり、中央ヨーク７０は右方（第２の方向）への移動可能な状態になっている。第二磁石部材１２０が第１の方向に近づくにつれて、第二磁石部材１２０の磁力を大きく受けるようになって、中央ヨーク７０が右方（第２の方向）に向かって移動し、中央ヨーク７０と第二磁石部材１２０が吸着する。
【０１０９】
つまり、図９Ｃに示すように、第二磁石部材１２０が第１の方向に距離Ｍ移動し、中央ヨーク７０が第２の方向に移動することにより、中央ヨーク７０と第二磁石部材１２０との距離ｄはなくなる。その状態を図１２Ｂに示す。
【０１１０】
また、左方（第１の方向）に向かって移動する駆動部材６０の中央主要部の左側面が、左側の外壁部５７Ａの内面に当接して停止する。（図１２Ｂに“０”で示す。）なお、上述した移動は瞬間的に行われる。駆動部材６０が左方に移動し停止状態で、かつ、中央ヨーク７０と第二磁石部材１２０が吸着した状態を第二の状態と呼び、第二の状態の発電装置を図１２Ａに示す。図１２Ｂは図１２Ａの部分拡大図である。図１２Ａ（図１２Ｂ）は水平方向の断面図である。
【０１１１】
また、図１１は、図１０と図１３の間の状態を示す本実施の形態の発電装置の垂直方向の断面図である。
【０１１２】
図１１については同じ構成については同一の符号を付与し、説明を省略する。
【０１１３】
〔第二の状態〕
駆動部材６０が左方に移動して停止状態になった時、図１２Ａおよび図１２Ｂに示すように、第一磁石部材１１０においては、第一突出部１１５が第一補助ヨーク１３０に近接した吸着状態になっている。第二突出部１１６は中央ヨーク７０の太幅部７１の左側端面から離間している。第二磁石部材１２０においては、第三突出部１２５が中央ヨーク７０の太幅部７１の右側端面と当接した吸着状態になっている。第四突出部１２６は第二補助ヨーク１３１から離間している。
【０１１４】
最終的に、スライド部材１８０は、図１３および図１４に示すように、右側の外壁部５７Ｂに当接して右端の位置で停止する。図１３に示す状態（第二の状態）では、右側の押圧部１８２は第一面１６６上から第三面１６８上に移動している。
【０１１５】
第二の状態では、スライド部材１８０の右側の押圧部１８２が、右側の駆動体１６０の第三面１６８上に当接状態になっている。この時、駆動体１６０が右回転の方向に回動し、押し下げ状態になっている。図１３に示す状態の時、駆動部材６０については、図１２に示す状態である。つまり、駆動部材６０は、中央主要部の左側面が左側の外壁部５７Ａの内面に当接して停止している。右側の駆動体１６０用の二つのＵ字ばね１７０はほぼ伸びた状態（僅かに撓んだ状態）で、上記駆動部材６０に対して若干左方に付勢するばね力を加えている。左側の駆動体１５０用の二つのＵ字ばね１７０は完全に伸びた状態であり、左側の駆動体１５０には左側の押圧部１８２は接触していない。このため、左側の駆動体１５０は、左端が上方に位置する押し下げ前の状態になっている。
【０１１６】
第二の状態では、磁気回路構成部は上述説明した図１２Ａ（図１２Ｂ）に示す状態のままである。つまり、中央ヨーク７０は、第二磁石部材１２０に吸着しており、中央ヨーク７０の被規制部７２内に位置する中間部５８Ｂの左側面と被規制部７２の左側端面との間、言い換えれば中間部５８Ｂからみて左側位置に間隙Ｌがある状態になっている。
【０１１７】
そして、第二の状態では、第一磁石部材１１０の第二突出部１１６は中央ヨーク７０の太幅部７１の左側端面から離間している（図１２Ｂに“ｄ”で示す）。また、第二磁石部材１２０の第三突出部１２５が中央ヨーク７０の太幅部７１の右側端面と当接した吸着状態になっている。
【０１１８】
第二の状態では、中央ヨーク７０には、第二磁石部材１２０の磁束が第二磁性体１２４を介して太幅部７１に伝わり、その後、第二磁性体１２３に戻る経路で伝わる。第二の状態では、第一の状態の時とは磁束の流れる方向が逆になる。
【０１１９】
つまり、第一の状態から第二の状態に変化すると、中央ヨーク７０に流れる磁束の方向が変わり、その磁束の流れの変化に応じてコイル８５に起電力が生じる。コイル８５で生じた起電力はターミナル８７を介して配線基板５２に設けられた電極部５３に給電される。そして、配線基板５２の電気回路部が作動する。電気回路部の作動内容としては、例えば、所定の無線信号を生成して送信するなどがあげられる。
【０１２０】
本実施の形態の発電装置では、上述した説明からも明らかなように、第一磁石部材と、第一磁石部材とＮ極側が逆方向に配置される第二磁石部材と、水平移動が可能で、第一磁石部材と第二磁石部材との間に配置される中央ヨークと、中央ヨークの外周に配置されるコイルと、第一磁石部材および第二磁石部材を保持しながら水平移動する駆動部材とを備える。そして、駆動部材および中央ヨークは第１の方向に水平移動する。中央ヨークの第１の方向への水平移動が停止した後、駆動部材はさらに第１の方向へ水平移動し、かつ、中央ヨークは第１の方向と反対の第２の方向へ水平移動する。
【０１２１】
つまり、本実施の形態の発電装置では、第一の状態から第二の状態に至る間に中央ヨーク７０そのものが第二磁石部材１２０側に向けて（第２の方向）移動可能な構成としている。中央ヨーク７０の第２の方向への移動分だけ、吸着時間の短縮化ができ、中央ヨーク７０の磁束の流れの変化に要する時間を少なくできる。よって、容易に大きい起電力が得られる発電装置を提供できる。
【０１２２】
さらに、本実施の形態の発電装置では、中央ヨーク７０の動作を規制するために、中央ヨーク７０に被規制部７２が設けられている。被規制部７２内に段付き突起５８の中間部５８Ｂ（固定部）を配置している。この構成により、駆動部材６０の水平移動中に、駆動部材６０と同じ水平方向（第１の方向）に向けて移動している中央ヨーク７０が停止する。この構成により、水平方向（第１の方向）に中央ヨーク７０を移動させる時における中央ヨークの移動距離を、間隙Ｌの設定で容易に設定でき、好ましい。
【０１２３】
なお、第二の状態から第一の状態への変化する場合は、スライド部材１８０を左方に移動させる。その動作状態は上述した第一の状態から第二の状態へ変化した場合と、左右を逆にした説明となる。第二の状態から第一の状態への変化する場合は、第一の状態から第二の状態へ変化した場合と同様であるため、詳細説明は省略する。
【０１２４】
第二の状態から第一の状態への変化する場合、中央ヨーク７０が第一磁石部材１１０に向かって移動して第一磁石部材１１０に吸着するため、第一の状態から第二の状態へ変化した場合と同様の効果が得られる。
【０１２５】
以上のように、本発明は、中央ヨーク７０そのものを所定範囲で移動可能なものとして、それによって大きい起電力が得られる新たな磁気回路構成部を有したものとしたことを特徴としている。
【０１２６】
さらに本実施の形態では、中央ヨーク７０そのものが移動して第一磁石部材１１０（または、第二磁石部材１２０）に吸着するため、駆動部材６０が樹脂製の外壁部５７Ａ（または、外壁部５７）に当接して停止する。よって、上記吸着時の音の低減ができるという付帯的な効果が得られる。
【０１２７】
なお、本発明の構成は、上述した本実施の形態に限定されることはない。例えば、中央ヨーク７０の被規制部７２の形状や形成位置などは適宜設定してもよいし、その被規制部７２内に配置される固定部として、上ケース５５に設けられた段付き突起５８に限定されるものではない。
【０１２８】
また、本実施の形態では、上ケース５５の外壁部５７Ａ（または５７Ｂ）によって、駆動部材６０の左右方向への移動を規制しているが、この構成に限定されるものではない。
【０１２９】
また、被規制部７２以外の中央ヨーク７０の形状、第一磁石部材１１０、第二磁石部材１２０の形状や構成なども上述したもののみに限定されるものではなく、適宜設定すればよい。
【０１３０】
また、本実施の形態では、駆動部材６０と駆動体１５０、１６０とをＵ字ばね１７０で接続していたが、用いるばねは、Ｕ字ばね１７０に限定されるものではない。
【０１３１】
また、駆動体１５０、１６０としても、軸支箇所を左右方向側の端部位置にあたる箇所に構成し、左右方向側の中央位置にあたる箇所を押し下げる構成などにしてもよい。
【０１３２】
また、配線基板５２を必ずしも有する必要はなく、磁気回路構成部のみを有していてもよい。さらに、第一補助ヨーク１３０および第二補助ヨーク１３１は必要に応じて設ければよい。
【０１３３】
また、本実施の形態において、「矩形」、「矩形状」の用語を用いて説明したが、必ずしも厳密な矩形である必要はなく、本実施の形態で説明に用いたい「矩形」、「矩形状」の用語には、角部が丸まっている略矩形も含まれる。
【産業上の利用可能性】
【０１３４】
本発明における発電装置は、大きい起電力が得られる発電装置を提供することができるという有利な効果を有し、各種電子機器などに有用である。
【符号の説明】
【０１３５】
５０  下ケース
５０Ａ  保持部
５１  蓋板部
５２  配線基板
５３  電極部
５４  貫通孔
５５  上ケース
５６  中板部
５７，５７Ａ，５７Ｂ  外壁部
５８  段付き突起
５８Ａ  根元部
５８Ｂ  中間部
５８Ｃ  先端部
５９  スリット状溝部
６０  駆動部材
６１  コイル用貫通孔
６３  延設部
６４，６５  第一係止部
６７  矩形孔
７０  中央ヨーク
７１  太幅部
７２  被規制部
７３  細幅部
８０  コイル保持用部材
８１  面状部
８２  側壁部
８３  ターミナル装着部
８４  被固定部
８５  コイル
８７  ターミナル
８８  円弧状部
１１０  第一磁石部材
１１１，１２１  永久磁石
１１３，１１４  第一磁性体
１１５  第一突出部
１１６  第二突出部
１２０  第二磁石部材
１２３，１２４  第二磁性体
１２５  第三突出部
１２６  第四突出部
１３０  第一補助ヨーク
１３１  第二補助ヨーク
１４１，１４２  軸受け部
１５０，１６０  駆動体
１５２，１６２  円柱軸部
１５４，１６４  第二係止部
１５６，１６６  第一面
１５７，１６７  第二面
１５８，１６８  第三面
１５９，１６９  線状突起
１７０  Ｕ字ばね
１８０  スライド部材
１８２  押圧部
１８２Ａ  逃げ溝
【図１】
2015068377.tif 000003
【図２】
2015068377.tif 000004
【図３】
2015068377.tif 000005
【図４】
2015068377.tif 000006
【図５Ａ】
2015068377.tif 000007
【図５Ｂ】
2015068377.tif 000008
【図５Ｃ】
2015068377.tif 000009
【図５Ｄ】
2015068377.tif 000010
【図６】
2015068377.tif 000011
【図７】
2015068377.tif 000012
【図８】
2015068377.tif 000013
【図９Ａ】
2015068377.tif 000014
【図９Ｂ】
2015068377.tif 000015
【図９Ｃ】
2015068377.tif 000016
【図１０】
2015068377.tif 000017
【図１１】
2015068377.tif 000018
【図１２Ａ】
2015068377.tif 000019
【図１２Ｂ】
2015068377.tif 000020
【図１３】
2015068377.tif 000021
【図１４】
2015068377.tif 000022
【図１５】
2015068377.tif 000023
【図１６】
2015068377.tif 000024
【図１７】
2015068377.tif 000025
【図１８】
2015068377.tif 000026
【図１９】
2015068377.tif 000027
【図２０】
2015068377.tif 000028
【図２１】
2015068377.tif 000029
【図２２】
2015068377.tif 000030
【手続補正書】
【提出日】平成28年2月12日(2016.2.12)
【手続補正１】
【補正対象書類名】明細書
【補正対象項目名】００５０
【補正方法】変更
【補正の内容】
【００５０】
コイル保持用部材８０の面状部８１には、その前端部および後端部のそれぞれに圧入用の被固定部８４が設けられている。前端部の被固定部８４は、前方に向かって開口する矩形状の切り欠きによって構成され、後端部の被固定部８４は、後方に向かって開口する矩形状の切り欠きによって構成されている。そして、被固定部８４の左右方向の幅（寸法Ａ）は、中央ヨーク７０における被規制部７２の左右方向の幅（寸法Ｂ）よりも狭い。
【手続補正２】
【補正対象書類名】明細書
【補正対象項目名】００５１
【補正方法】変更
【補正の内容】
【００５１】
コイル８５付き中央ヨーク７０においては、コイル８５の上部が、駆動部材６０の中央部付近に設けられているコイル用貫通孔６１内に配置される（図１、図３参照）。コイル用貫通孔６１は、駆動部材６０の中央部付近に矩形状に上下に貫通して形成されている。なお、詳細は後述するが、コイル８５付き中央ヨーク７０は、上ケース５５に一体化されている。
【手続補正３】
【補正対象書類名】明細書
【補正対象項目名】００９５
【補正方法】変更
【補正の内容】
【００９５】
上記のように駆動体１６０が徐々に回動すると、駆動体１６０用の二つのＵ字ばね１７０も徐々に撓んでいく。そして、本実施の形態では、そのばね力によって駆動部材６０が左方に移動し始める。つまり、駆動部材６０にＵ字ばね１７０を介して回動可能な駆動体１６０が接続され、駆動体の回動に応じてばね力がばねに蓄積され、ばね力により駆動部材の水平移動がなされる。このときの駆動体１６０用のＵ字ばね１７０に蓄積されるばね力は、第二磁石部材１２０と第二補助ヨーク１３１との吸着力よりも大きく設定されている。よって、このばね力によって駆動部材６０が左方（第１の方向）へ移動する。
【国際調査報告】
2015068377.tif 000031
2015068377.tif 000032
2015068377.tif 000033
2015068377.tif 000034